(57)【特許請求の範囲】
【請求項１】
外気の導入蓄圧機構を備え、上端に上方付勢状態で押し込み可能に突設した吐出管（Ａ４）の押し下げにより、吐出管（Ａ４）より加圧エアーが噴出する装置本体（Ａ）と、吐出管（Ａ４）に嵌着した噴霧ヘッド（Ｂ）とを備え、噴霧ヘッド（Ｂ）は、吐出管（Ａ４）と連通する噴霧ノズル（８３）付きの薬剤収容室（Ｒ２）を備え、薬剤収容室（Ｒ２）内への薬剤挿入手段を備え、噴霧ヘッド（Ｂ）の押し下げにより、薬剤を収容した薬剤収容室（Ｒ２）内に吐出管（Ａ４）からの加圧エアーを噴出して気化薬剤を噴霧ノズル（８３）より噴霧可能に構成したスプレー装置において、
噴霧ヘッド（Ｂ）は、吐出管（Ａ４）に嵌着した取付筒（８０）上に、取付筒（８０）内と複数の小孔（９１）を介して連通する噴霧ノズル（８３）付きの薬剤収容室（Ｒ２）を備え、噴霧ノズル（８３）内に小孔（９４）を備えた区画壁（９２）を備えてなるスプレー装置。
【請求項２】
薬剤挿入手段として、薬剤収容室（Ｒ２）の頂部を、蓋体（８５）により開閉可能且つ気密な閉塞が可能に構成し、薬剤収容室（Ｒ２）内底部に底部破断突起（８９）を起立するとともに、蓋体（８５）より上部破断突起（９０）を垂設し、薬剤収容室（Ｒ２）内に挿入した薬剤容器（Ａ８）を底部破断突起（８９）及び上部破断突起（９０）で破断挟持する請求項１に記載のスプレー装置。
【請求項３】
蓋体（８５）が、弾性圧搾可能な帽子状の頂部（８５ａ）を有し、この頂部（８５ａ）から上部破断突起（９０）を垂設して、頂部（８５ａ）を下方へ弾性変形することで、上部破断突起（９０）が下降するように構成した請求項２に記載のスプレー装置。
【請求項４】
薬剤容器（Ａ８）は、薬剤を収納する容器本体（９５）の周縁部より係止用フランジ（９６）を突設し、薬剤収容室（Ｒ２）内周縁部に突設した縦リブ（９３）上に載置可能に構成した請求項２又は請求項３に記載のスプレー装置。
【請求項５】
装置本体（Ａ）が、加圧室（Ｒ１）を備える容器体（Ａ１）の上部に回転可能に設けたカバー筒（Ａ３）の回転により、内蔵外気導入機構が作動して加圧室（Ｒ１）内への外気の導入を行い、内蔵蓄圧機構により導入エアーの蓄圧を可能に構成した請求項１乃至請求項４のいずれか１項に記載のスプレー装置。
【請求項６】
外気導入機構が、カバー筒（Ａ３）の容器体（Ａ１）に対する回転動作をプランジャ（Ａ５）の容器体（Ａ１）に対する上昇動作に変換する変換機構により、容器体（Ａ１）内に下方付勢状態で上下動可能に装着されたプランジャ（Ａ５）を上昇させ、プランジャ（Ａ５）の上昇により容器体（Ａ１）底部に設けた逆止弁（１４）を介して容器体（Ａ１）内に外気が導入される如く構成した請求項１乃至請求項５のいずれか１項に記載のスプレー装置。
【発明の詳細な説明】
【技術分野】
【０００１】
本発明はスプレー装置に関する。
【背景技術】
【０００２】
スプレー装置として、芳香剤、消臭剤、除菌剤、抗菌剤等の剤液を、噴霧するものが種々提案されており、例えば、容器体の上端に上方付勢状態で押し込み可能に突出した吐出管に噴霧ヘッドを嵌着し、容器体内においてエアゾールによる液面加圧された剤液を、噴霧ヘッドの押し下げにより開弁する内蔵吐出弁を開いて噴霧する機構のものが提案されている。
【０００３】
また、容器の廃棄に際して爆発の危険のないようにエアゾールを使用しないで、空気による剤液の液面加圧を行なう如く構成したものも提案されている。（例えば、特許文献１参照）
【０００４】
特許文献１に記載のスプレー装置は、上半部を円筒室とし下半部を液槽とした容器本体と、容器本体の上部に被着された回転ヘッドと、容器本体の円筒室内に回転および昇降自在に嵌装された円筒状の摺動部材と、円筒室下部に形成された逆止弁付きの液体加圧室と、摺動部材の下部に設けられて前記液体加圧室に嵌合されるピストンと、円筒室内に設けられた摺動部材圧下用のコイルバネと、加圧室の逆止弁下部より前記液槽内に垂設した吸上げパイプと、ピストンの中央に穿設した液通路と回転ヘッド上部に設けた噴霧弁組立体とを連結するフレキシブルチューブとからなり、前記回転ヘッドの頂壁より垂設した内筒外面と摺動部材の円筒部内面に摺動部材を垂直に昇降ガイドするスプラインを設けると共に、前記円筒室の内面と摺動部材の円筒部外面との間に回転ヘッドの回転力を摺動部材の上昇力に変える変換手段を設けている。
【先行技術文献】
【特許文献】
【０００５】
【特許文献１】特公昭５４−２５２４５号公報
【発明の概要】
【発明が解決しようとする課題】
【０００６】
上記従来のものはいずれも剤液を使用したものであり、噴霧液が噴霧対象部位以外へ付着する等の不都合があった。また、内容液を気化させるものでは、温度や風通りなどの条件で気化量が変わってしまい、効果にばらつきが見られた。
【０００７】
本発明は上記した点に鑑みてなされたもので、噴霧される剤が液状ではなく、気体状の噴霧を行なえて、噴霧対象部位以外への噴霧剤の付着等を防止することができ、また、使用にあたっても、取り扱いが便利なスプレー装置を提案する。
【課題を解決するための手段】
【０００８】
第１の手段として、以下の通り構成した。即ち、
外気の導入蓄圧機構を備え、上端に上方付勢状態で押し込み可能に突設した吐出管Ａ４の押し下げにより、吐出管Ａ４より加圧エアーが噴出する装置本体Ａと、吐出管Ａ４に嵌着した噴霧ヘッドＢとを備え、噴霧ヘッドＢは、吐出管Ａ４と連通する噴霧ノズル８３付きの薬剤収容室Ｒ２を備え、薬剤収容室Ｒ２内への薬剤挿入手段を備え、噴霧ヘッドＢの押し下げにより、薬剤を収容した薬剤収容室Ｒ２内に吐出管Ａ４からの加圧エアーを噴出して気化薬剤を噴霧ノズル８３より噴霧可能に構成したスプレー装置において、
噴霧ヘッドＢは、吐出管Ａ４に嵌着した取付筒８０上に、取付筒８０内と複数の小孔９１を介して連通する噴霧ノズル８３付きの薬剤収容室Ｒ２を備え、噴霧ノズル８３内に小孔９４を備えた区画壁９２を備えてなる。
【００１０】
第２の手段として、以下の通り構成した。即ち、前記第１の手段に於いて、薬剤挿入手段として、薬剤収容室Ｒ２の頂部を、蓋体８５により開閉可能且つ気密な閉塞が可能に構成し、薬剤収容室Ｒ２内底部に底部破断突起８９を起立するとともに、蓋体８５より上部破断突起９０を垂設し、薬剤収容室Ｒ２内に挿入した薬剤容器Ａ８を底部破断突起８９及び上部破断突起９０で破断挟持する。
【００１１】
第３の手段として、以下の通り構成した。即ち、前記第２の手段に於いて、蓋体８５が、弾性圧搾可能な帽子状の頂部８５ａを有し、この頂部８５ａから上部破断突起９０を垂設して、頂部８５ａを下方へ弾性変形することで、上部破断突起９０が下降するように構成した。
【００１２】
第４の手段として、以下の通り構成した。即ち、前記第２の手段又は第３の手段に於いて、薬剤容器Ａ８は、薬剤を収納する容器本体９５の周縁部より係止用フランジ９６を突設し、薬剤収容室Ｒ２内周縁部に突設した縦リブ９３上に載置可能に構成した。
【００１３】
第５の手段として、以下の通り構成した。即ち、前記第１の手段乃至第４の手段のいずれかの手段に於いて、装置本体Ａが、加圧室Ｒ１を備える容器体Ａ１の上部に回転可能に設けたカバー筒Ａ３の回転により、内蔵外気導入機構が作動して加圧室Ｒ１内への外気の導入を行い、内蔵蓄圧機構により導入エアーの蓄圧を可能に構成した。
【００１４】
第６の手段として、以下の通り構成した。即ち、前記第１の手段乃至第５の手段のいずれかの手段に於いて、外気導入機構が、カバー筒Ａ３の容器体Ａ１に対する回転動作をプランジャＡ５の容器体Ａ１に対する上昇動作に変換する変換機構により、容器体Ａ１内に下方付勢状態で上下動可能に装着されたプランジャＡ５を上昇させ、プランジャＡ５の上昇により容器体Ａ１底部に設けた逆止弁１４を介して容器体Ａ１内に外気が導入される如く構成した。
【発明の効果】
【００１５】
本発明によれば、液剤の使用がなく、噴霧ヘッドＢから薬剤の気化物を噴霧できるため、噴霧対象部位以外へ薬剤が噴霧されても、そこへの薬剤の付着等を防止でき、その使用操作も簡単に行なえて使い勝手も良いという特徴がある。
【００１６】
また、噴霧ヘッドＢは、吐出管Ａ４に嵌着した取付筒８０上に、取付筒８０内と複数の小孔９１を介して連通する噴霧ノズル８３付きの薬剤収容室Ｒ２を備え、噴霧ノズル８３内に小孔９４を備えた区画壁９２を備えている場合には、より良好な噴霧状態を現出できる特徴がある。
【００１７】
また、薬剤収容室Ｒ２の頂部を、蓋体８５により開閉可能且つ気密な閉塞が可能に構成し、薬剤収容室Ｒ２内底部に底部破断突起８９を起立するとともに、蓋体８５より上部破断突起９０を垂設し、薬剤収容室Ｒ２内に挿入した薬剤容器Ａ８を底部破断突起８９及び上部破断突起９０で破断挟持する場合には、薬剤の設置、交換を容易に行なえる利点がある。
【００１８】
蓋体８５が、弾性圧搾可能な帽子状の頂部８５ａを有し、この頂部８５ａから上部破断突起９０を垂設して、頂部８５ａを下方へ弾性変形することで、上部破断突起９０が下降するように構成した場合には、薬剤容器Ａ８をセットした後、頂部８５ａを押圧して破断することができるので、好きなタイミングで薬剤容器Ａ８を開封できるという特徴があり、また、薬剤容器Ａ８の設置をより行い易くなる。
【００１９】
また、薬剤容器Ａ８は、薬剤を収納する容器本体９５の周縁部より係止用フランジ９６を突設し、薬剤収容室Ｒ２内周縁部に突設した縦リブ９３上に載置可能に構成した場合には、薬剤の設置を適正位置に容易に行なえ、また、交換をより容易に行なえるという特徴がある。
【００２０】
また、装置本体Ａが、加圧室Ｒ１を備える容器体Ａ１の上部に回転可能に設けたカバー筒Ａ３の回転により、内蔵外気導入機構が作動して加圧室Ｒ１内への外気の導入を行い、内蔵蓄圧機構により導入エアーの蓄圧を可能に構成した場合には、その取り扱い操作をより簡単に行える利点がある。
【００２１】
外気導入機構が、カバー筒Ａ３の容器体Ａ１に対する回転動作をプランジャＡ５の容器体Ａ１に対する上昇動作に変換する変換機構により、容器体Ａ１内に下方付勢状態で上下動可能に装着されたプランジャＡ５を上昇させ、プランジャＡ５の上昇により容器体Ａ１底部に設けた逆止弁１４を介して容器体Ａ１内に外気が導入される如く構成した場合には、同様にその取り扱い操作をより簡単に行える利点がある。
【図面の簡単な説明】
【００２２】
【図１】スプレー装置の縦断面図である。（第１実施例）
【図２】スプレー装置の正面図である。（第１実施例）
【図３】スプレー装置の操作を説明する縦断面図である。（第１実施例）
【図４】スプレー装置の操作を説明する縦断面図である。（第１実施例）
【図５】スプレー装置の噴出ヘッド部分の要部縦断面図である。（第２実施例）
【発明を実施するための形態】
【００２３】
以下、本発明の形態を図面を参照して説明する。
【００２４】
図１乃至図４は本発明の第１実施例を示し、スプレー装置１は、装置本体Ａと、噴霧ヘッドＢと、オーバーキャップＣとを備えている。尚、説明の便宜上、図１に於ける左方を前部、右方を後部とし、手前を右部、奥側を左部として説明する。
【００２５】
装置本体Ａは、外気の導入蓄圧機構を備え、上端に上方付勢状態で押し込み可能に突設した吐出管Ａ４の押し下げにより、吐出管Ａ４より加圧エアーが噴出する如く構成している。
【００２６】
本例に於いて装置本体Ａは、容器体Ａ１と、支持部材Ａ２と、カバー筒Ａ３と、吐出管Ａ４と、プランジャＡ５と、第１連絡部材Ａ６と、第２連絡部材Ａ７とを備えている。
【００２７】
容器体Ａ１は周壁１０上に縮径した口頸部１１を起立し、周壁１０の下端開口部分に周縁部を気密に嵌着した底蓋１２を装着している。底蓋１２の中央には窓孔１３が設けられており、該窓孔１３を、外部より内部へ一方的に連通する逆止弁１４で閉塞している。逆止弁１４は、窓孔１３を閉塞する弁板１４ａの周囲と、底蓋１２に嵌着した支持筒部１４ｂとの間を、周方向複数の弾性連結片１４ｃで連結して、弁板１４ａを常時窓孔１２周縁の底板上面に圧接して構成している。また、底蓋１２の底板周縁部には、プランジャＡ５の摺動部５０が嵌合する環状凹部１５が形成され、また、底板中央部には逆止弁１４が固定された中央凹部１６が形成されている。
【００２８】
支持部材Ａ２は、口頸部１１外周に螺合させた装着筒２０の上端より内方へフランジ２１を延設し、フランジ２１内周下部より下方へ下部筒部２２を垂設し、下部筒部２２の下端縁より内方へフランジ状の係止突片２７を突設している。また、フランジ２１の内周縁上面より上方へ、上部筒部２３を起立し、上部筒部２３の外周下部に第１係止突条２４、その上部に第２係止突条２５を突設している。フランジ２１と容器体口頸部１１上面との間にはパッキンｐを介在させてこの部分を気密にシールしている。上部筒部２３の内面には、変換機構を構成する断面半円形の縦溝２６を周方向等間隔に複数縦設している。変換機構は、後述するが、カバー筒Ａ３とプランジャＡ５との間に設けられ、カバー筒Ａ３の支持部材Ａ２に対する回転動作、及びカバー筒Ａ３の容器体Ａ１に対する回転動作を、プランジャＡ５の支持部材Ａ２に対する上昇動作、及びプランジャＡ５の容器体Ａ１に対する上昇動作に変換する機構である。
【００２９】
カバー筒Ａ３は、支持部材Ａ２上に回転可能に設けられており、従って、容器体Ａ１に対して回転可能に設けられており、周壁部３０の下端を支持部材Ａ２の装着筒２０外周上部に形成された小径部に回動可能に嵌合している。周壁部３０の内面下部に凹設した凹部に支持部材Ａ２の第１係止突条２４を相互の回動が可能に嵌合させ、カバー筒Ａ３の上方への抜け出しを防止している。周壁部３０の上縁より、湾曲状部分及び階段状部分を連設して構成された肩部を介して頂板部を延設しており、頂板部中央に開口した窓の周縁より、上部外周に係止突条３３を突周設した連結筒３１を起立している。また、階段状部分下面より垂設した筒部内面には、係合凹部３２を凹設している。
【００３０】
吐出管Ａ４は、連結筒３１内に上方付勢状態で押し込み可能に突設し、吐出管Ａ４の押し込みにより開弁する吐出弁４０を介して連絡管４１内と連通しており、連絡管４１の下端開口は容器体Ａ１内に位置している。従って、容器体Ａ１から連絡管４１を通り、吐出弁４０を介して吐出管Ａ４の上端開口に連通している。
【００３１】
本例では、カバー筒Ａ３の頂部下面に嵌着し、頂壁中央に透孔を開口した下端開口の有頂筒状をなす固定筒４２と、固定筒４２頂部裏面に嵌着したフランジ４５内周縁より下方に、下部が段部を介して小径部４６ａに形成された短筒４６を垂下し、短筒４６の大径部４６ｂ内面に周方向複数の縦リブを縦設した挟持部材４３を備え、固定筒４２の頂部と挟持部材４３のフランジ４５との間に、中央に透孔を開口した弁体４４を挟持させている。また、吐出管Ａ４は、大径の入口管部Ａ４ａの上方に小径の出口管部Ａ４ｂを連設して構成しており、出口管部Ａ４ｂの下端部外周に環状凹溝４７を凹設しており、弁体４４の透孔周縁部に環状凹溝４７を嵌合させて弁体４４の上方に出口管部Ａ４ｂを立設し、入口管部Ａ４ａを挟持部材４３の縦リブ内周に上下動可能に嵌合させており、入口管部Ａ４ａと挟持部材４３の段部との間に第１スプリングｓ１を介在させて常時上方に付勢させている。そして、弁体４４と吐出管Ａ４とで吐出弁４０を構成しており、吐出管Ａ４の押し下げにより吐出弁４０が開弁する如く構成している。また、挟持部材４３の小径部４６ａ外周に上端を嵌着し、下端を容器体Ａ１内に開口する連絡管４１を設けており、連絡管４１の上端より外方へ延設したフランジを介して、固定筒４２の周壁部分内周に嵌着する嵌合筒４８を立設している。
【００３２】
プランジャＡ５は、周縁部を容器体周壁１０に気密に摺動する摺動部５０とした加圧壁５１を備え、加圧壁５１の中央に開口した透孔の周縁部より、連絡管４１外周を気密に摺動する摺動筒５２を立設している。本例の場合は摺動筒５２の上部内周に嵌着した環状のシール材５３により連絡管４１との間を気密にシールしている。また、摺動筒５２下面より逆止弁１４の弁板上面に当接する複数の係止腕５４を垂設している。このプランジャＡ５は後述する第２スプリングｓ２により常時下方に付勢されており、使用前には容器体Ａ１内の最下部に位置している。即ち、図１に示す如く、加圧壁５１が底蓋１２の底板上面に当接し、摺動部５０が環状凹部１５内に収納され、係止腕５４の下面が逆止弁１４の弁板上面に当接係止する状態にある。
【００３３】
第１連絡部材Ａ６は、支持部材Ａ２の上部筒部２３外周に回動可能に嵌合させ、第２係止突条２５下面に回動可能に係合する突条により上方への抜け出しを防止した嵌合筒部６０を備え、嵌合筒部６０の上端縁より内方へ、中央に連絡管４１が貫通する透孔を開口した頂板部６１を延設し、頂板部６１の上面より突設した筒部の外周に、カバー筒Ａ３の各係合凹部３２にそれぞれ係合する複数の係合突部６２を突設しており、カバー筒Ａ３を回転させることで回転する如く連携している。また、頂板部６１の下面中央部からは垂下筒６３を垂設し、その外面に複数の縦溝６４を縦設している。頂板部６１周縁部には複数の透孔６５を穿設している。
【００３４】
第２連絡部材Ａ７はプランジャＡ５に嵌着固定したので、プランジャＡ５の摺動筒５２外面に嵌着させた嵌合筒７０を基板７１下面より垂設し、基板７１の周縁部上面より連携筒７２を起立している。基板７１は中央に連絡管４１を上下動可能に貫通させる透孔を備え、透孔周縁の下面よりシール材５３を係止する係止筒７５を垂設し、透孔周縁の上面より第２スプリングｓ２の下端部を嵌合させる係止筒を立設している。また、連携筒７２の内面には第１連絡部材Ａ６の各縦溝６４にそれぞれ上下動可能に嵌合する縦突条７３を突設しており、また、連携筒７２の外面には変換機構を構成するカム溝７４が凹設されている。カム溝７４は、容器中心軸回りに互いに間隔をあけて形成された垂直溝７４ａと、容器中心軸回りで隣接する垂直溝７４ａの上端と下端とを連結する傾斜溝７４ｂとからなる断面半円形状をなしおり、容器中心軸回りの全周に亘って設けられている。そして、このカム溝７４及び支持部材Ａ２の縦溝２６それぞれには、ボールｂが回動可能に係合している。即ち、ボールｂの半分はカム溝７４に挿入され、残りの半部が縦溝２６に挿入されている。そして、基板７１と第１連絡部材Ａ６の頂板部６１との間に第２スプリングｓ２を介在させて、第２連絡部材Ａ７及びプランジャＡ５を常時下方に付勢させている。
【００３５】
変換機構は、カバー筒Ａ３とプランジャＡ５との間に設けられ、カバー筒Ａ３の支持部材Ａ２及び容器体Ａ１に対する回転動作を、プランジャＡ５の支持部材Ａ２及び容器体Ａ１に対する上昇動作に変換する機構であり、従って、カバー筒Ａ３とプランジャＡ５との間に設けられ、カバー筒Ａ３の容器体Ａ１に対する回転動作を、プランジャＡ５の容器体Ａ１に対する上昇動作に変換する機構であるともいえる。
【００３６】
変換機構は、図１の状態からカバー筒Ａ３を支持部材Ａ２に対して（即ち、容器体に対して）回動させることで第１連絡部材Ａ６が回動し、この回転力が伝達された第２連絡部材Ａ７は、図３に示す如く、ボールｂが傾斜溝７４ｂを相対的に下っていくため第２スプリングｓ２の下方付勢力に抗して第２連絡部材Ａ７が上昇し、同時にプランジャＡ５が上昇する。その際プランジャＡ５の加圧壁５１下方の加圧室Ｒ１内は負圧化するため、逆止弁１４が開いて加圧室Ｒ１内に外気が導入されていき、外気導入機構が働く。そして、図４に示す如く、ボールｂがカム溝７４の傾斜溝７４ｂの下端から垂直溝７４ａの下端に移行すると、ボールｂは垂直溝７４ａを相対的な上昇が可能となる。この際、加圧室Ｒ１内に導入されたエアーは第２スプリングｓ２の下方付勢力により加圧されて蓄圧機構が働き、加圧室Ｒ１内は密閉状態となっているためその状態を維持し、吐出弁４０を開くことで、第２スプリングｓ２の下方付勢力が働き  ボールｂの上昇が始まり、プランジャＡ５が下降する。
【００３７】
噴霧ヘッドＢは、吐出管Ａ４の外周に嵌着した取付筒８０を底壁８１裏面より垂設し、底壁８１周縁より周壁８２を起立し、周壁の前部に一端を開口した噴霧ノズル８３を前方へ突設している。また、周壁８２上端部の右側にヒンジ８４（図１では説明の便宜上後部に二点鎖線で示す）を介して開閉可能に連結した蓋体８５により、周壁８２の上端開口を閉塞しており、内部に薬剤収容室Ｒ２を画成している。ヒンジ８４の対向位置である蓋体８５の左側には指掛け突起８６（図１では説明の便宜上前部に二点鎖線で示す）を突設しており、該指掛け突起８６を掴んでの蓋体８５の開閉が可能に構成している。
【００３８】
また、底壁８１の裏面周縁部より係止筒８７を垂設し、その内面下端部に突設した係合突条８８を、カバー筒の係止突条３３下面に係合させて抜け出しの防止を図っている。底壁８１の上面中央部には二枚の三角板をクロスさせた形態の底部破断突起８９を立設し、また、蓋体８５裏面中央には二枚の台形板をクロスさせた形態の上部破断突起９０を垂設している。また、取付筒８０内と薬剤収容室Ｒ２内とは、底壁８１に穿設した複数の小孔９１により連通しており、噴霧ノズル８３の基端部には区画壁９２を設け、区画壁９２に小孔９４を設けている。更に、周壁８２の内周面には周方向複数の縦リブ９３を突設している。また、周壁８２及び係止筒８７の外周には外周壁９７を垂設している。尚、小孔９４は、区画壁９２に複数設けても良く、小孔の数や大きさは適宜変更することができ、そうすることにより、開口面積が変わり、噴射時間の調整が容易に設定できる。
【００３９】
上記の如く構成したスプレー装置１には、その薬剤収容室Ｒ２内に薬剤を収納する薬剤容器Ａ８を挿入固定している。薬剤容器Ａ８は、薬剤を収納する容器本体９５の周縁部より係止用フランジ９６を突設し、薬剤収容室Ｒ２内周縁部に突設した縦リブ９３上に載置可能に構成している。そして、噴霧ヘッドＢの蓋体８５を開いて薬剤容器Ａ８を収納載置した後、蓋体８５を閉じることで、薬剤容器Ａ８を底部破断突起８９及び上部破断突起９０で容器本体９５を破断して挟持する。尚、薬剤としては、この様な薬剤容器Ａ８に収納されたものに限らず、例えば、不織布に薬剤を含浸させたものを使用することも可能であり、これらに限らない。
【００４０】
オーバーキャップＣは、支持部材Ａ２の装着筒２０外周に周壁下端部を着脱可能に嵌合し、その上方のスプレー装置１を被覆して着脱可能に装着している。尚、オーバーキャップＣ内上部に係止手段を設けて薬剤容器Ａ８を装着可能に構成することも可能である。
【００４１】
スプレー装置１を使用する場合には、例えば、図４に示す如く、前述した方法で薬剤容器Ａ８を装着した後、カバー筒Ａ３を回動させて加圧室Ｒ１内に外気を導入し、蓄圧した状態から、噴霧ヘッドＢを押し下げれば、吐出弁４０が開いて加圧エアーが小孔９１を介して薬剤収容室Ｒ２内に噴出され、気化した薬剤を区画壁９２の小孔９４を介して噴霧ノズル８３先端から噴霧することができる。
【００４２】
噴霧ヘッドＢの押圧を解除すれば第１スプリングｓ１の上方付勢力で噴霧ヘッドＢは元の状態に戻る。
【００４３】
図５は第２実施例を示し、本例では、図１の例に於いて、蓋体８５が、弾性圧搾可能な帽子状の頂部８５ａを有し、この頂部８５ａから上部破断突起９０を垂設して、頂部８５ａを下方へ弾性変形することで、上部破断突起９０が下降するように構成している。図５では頂部８５ａが下方への弾性変形前の状態であり、この状態から頂部８５ａを押圧すると反転して上部破断突起９０が第１実施例の図３の如く、薬剤収容室Ｒ２内に挿入した薬剤容器Ａ８を底部破断突起８９及び上部破断突起９０で破断挟持する。第２実施例の場合、薬剤容器Ａ８をセットした後、頂部８５ａを押圧して破断することができるので、好きなタイミングで薬剤容器Ａ８を開封できるという特徴がある。その他の構成は図１の場合と同様であるため説明を省略する。
【符号の説明】
【００４４】
１：スプレー装置
Ａ：装置本体
Ａ１：容器体
１０…周壁、１１…口頸部、１２…底蓋、１３…窓孔、１４…逆止弁、１４ａ…弁板、
１４ｂ…支持筒部、１４ｃ…弾性連結片、１５…環状凹部、１６…中央凹部
Ａ２：支持部材
２０…装着筒、２１…フランジ、２２…下部筒部，２３…上部筒部、
２４…第１係止突条、２５…第２係止突条、２６…縦溝、２７…係止突片
Ａ３：カバー筒
３０…周壁部、３１…連結筒、３２…係合凹部、３３…係止突条
Ａ４：吐出管
Ａ４ａ…入口管部、Ａ４ｂ…出口管部
４０…吐出弁、４１…連絡管、４２…固定筒、４３…挟持部材、４４…弁体、
４５…フランジ、４６…短筒、４６ａ…小径部、４６ｂ…大径部、４７…環状凹溝、
４８…嵌合筒
Ａ５：プランジャ
５０…摺動部、５１…加圧壁、５２…摺動筒、５３…シール材、５４…係止腕
Ａ６：第１連絡部材
６０…嵌合筒部、６１…頂板部、６２…係合突部、６３…垂下筒、６４…縦溝、
６５…透孔
Ａ７：第２連絡部材
７０…嵌合筒、７１…基板、７２…連携筒、７３…縦突条、７４…カム溝、
７４ａ…垂直溝、７４ｂ…傾斜溝、７５…係止筒
Ｂ…噴霧ヘッド
８０…取付筒、８１…底壁、８２…周壁、８３…噴霧ノズル、８４…ヒンジ、
８５…蓋体、８６…指掛け突起、８７…係止筒、８８…係合突条、
８９…底部破断突起、９０…上部破断突起、９１…小孔、９２…区画壁、９３…縦リブ、９４…小孔、９７…外周壁
Ａ８：薬剤容器
９５…容器本体、９６…係止用フランジ
Ｃ：オーバーキャップ
ｐ：パッキン
ｓ１：第１スプリング
ｓ２：第２スプリング
ｂ：ボール
Ｒ１：加圧室
Ｒ２：薬剤収容室
【図１】
0005794571.tif 000002
【図２】
0005794571.tif 000003
【図３】
0005794571.tif 000004
【図４】
0005794571.tif 000005
【図５】
0005794571.tif 000006